(57)【特許請求の範囲】
【請求項１】
ユーザ側に設けられた複数のクライアント装置とインターネットを介して交信可能であって、各ユーザが共通して利用可能なデータベースと、前記各ユーザが排他的に利用可能な個人データ格納部と、を備えたサーバシステムを用いて、土地家屋等に関する資料を提供する資料提供方法であって、
前記サーバシステムが、前記クライアント装置を介して、ユーザから資料ファイルのアップロード要求を受け付け、前記クライアント装置から、アップロードすべき資料ファイルと、前記アップロードすべき資料ファイルの属性情報と、を取得し、前記アップロード要求をしたユーザの前記個人データ格納部に格納するアップロードステップと、
前記サーバシステムが、前記クライアント装置を介して、ユーザから資料ファイルの登録要求を受け付け、前記登録要求をしたユーザの前記個人データ格納部から、登録すべき資料ファイルを取得し、前記登録すべき資料ファイルの属性情報に基づいて、前記データベースに登録するデータベース登録ステップと、
前記サーバシステムが、前記クライアント装置を介して、ユーザから資料ファイルの検索要求を受け付け、前記データベースに登録されている資料ファイルを検索し、検索された資料ファイルについての検索結果情報を、前記クライアント装置に送信する検索ステップと、
前記サーバシステムが、前記クライアント装置を介して、ユーザから、前記検索された資料ファイルの中から選択された資料ファイルのダウンロード要求を受け付け、前記選択された資料ファイルを、前記クライアント装置に送信するダウンロードステップと、
を有し、
前記ダウンロードステップにおいて、前記サーバシステムが、予め前記クライアント装置を介してユーザから取得しておいた公開条件に基づいて、前記選択された資料ファイルが、前記ダウンロード要求をしたユーザに対して公開可能か否かを判断し、公開可能であるときのみ、当該資料ファイルを前記クライアント装置に送信し、公開不可能であるときに、当該資料ファイルを前記データベースに登録したユーザについての情報を前記クライアント装置に表示可能とすることを特徴とする資料提供方法。
【請求項２】
前記データベースには、前記クライアント装置において地図を表示するための地図情報が格納されており、
前記サーバシステムが、資料ファイルに係る前記地図上の所在地に識別情報を表示するための情報を、取得するステップと、
前記サーバシステムが、前記クライアント装置を介して、ユーザから地図検索要求を受け付け、前記識別情報を表示するための情報に基づいて、前記データベースに登録されている資料ファイルに係る前記地図上の所在地に前記識別情報が表示されるような前記地図情報を、前記クライアント装置に送信する地図検索ステップと、
をさらに有することを特徴とする請求項１記載の資料提供方法。
【請求項３】
前記データベース登録ステップにおいて、前記登録すべき資料ファイルについて縮小表示可能なサムネイル情報を作成して、前記データベースに登録し、
前記検索ステップにおいて、前記クライアント装置を介して、ユーザから、前記検索された資料ファイルのサムネイル情報の表示要求を受け付け、当該サムネイル情報を前記クライアント装置に送信することを特徴とする請求項１、又は、２記載の資料提供方法。
【請求項４】
前記サーバシステムが、資料ファイルに対するサービスを行うサービス提供者のコンピュータと接続されており、
前記サーバシステムが、前記クライアント装置を介して、ユーザからサービス要求を受け付け、サービスを受けるべき資料ファイルを、前記サービス要求をしたユーザの前記個人データ格納部から取得して、前記サービス提供者のコンピュータに送信し、サービスを受けた結果の資料ファイルを、前記サービス提供者のコンピュータから受信して、前記サービス要求をしたユーザの前記個人データ格納部に格納するアライアンスサービスステップを、さらに有することを特徴とする請求項１、２、又は、３記載の資料提供方法。
【請求項５】
前記サーバシステムが、ユーザが属するグループに関するデータを格納するグループデータ格納部を備えるとともに、前記グループに属するユーザに対する課金を行うグループ管理者のコンピュータと接続され、
前記サーバシステムが、前記グループに関するデータに基づいて、前記グループに属するユーザの課金情報を、前記個人データ格納部から取得して、前記グループ管理者のコンピュータに送信する課金ステップを、さらに有することを特徴とする請求項１、２、３、又は、４記載の資料提供方法。
【請求項６】
各ユーザが共通して利用可能なデータベースと、前記各ユーザが排他的に利用可能な個人データ格納部と、を備えたサーバシステムに、インターネットを介して接続されたクライアント装置を用いて、土地家屋等に関する資料を提供し取得するための方法であって、
前記クライアント装置が、前記サーバシステムにアップロードする資料ファイルを特定するための特定情報と、前記アップロードする資料ファイルに係る土地家屋等の所在地情報を含む属性情報と、を入力するためのアップロード用Ｗｅｂページを、前記サーバシステムから受信して表示し、入力された前記特定情報により特定される資料ファイルと、入力された前記属性情報とを、前記サーバシステムに送信して、前記クライアント装置のユーザの前記個人データ格納部へ格納させるアップロードステップと、
前記クライアント装置が、前記クライアント装置のユーザの前記個人データ格納部に格納されている資料ファイルから、前記データベースに登録する資料ファイルを選択するための登録用Ｗｅｂページを、前記サーバシステムから受信して表示し、選択された前記登録する資料ファイルについての情報を前記サーバシステムに送信して、前記登録する資料ファイルを、少なくとも所在地についての条件による検索が可能なように、前記データベースに登録させるデータベース登録ステップと、
前記クライアント装置が、前記データベースに登録されている資料ファイルの検索条件として、少なくとも所在地についての条件を入力できる検索用Ｗｅｂページを、前記サーバシステムから受信して表示し、入力された検索条件を前記サーバシステムに送信して前記データベースを検索させ、検索された資料ファイルについての検索結果情報を、前記サーバシステムから受信して表示する検索ステップと、
前記クライアント装置が、前記検索された資料ファイルの中から選択されたダウンロードする資料ファイルについての情報を、前記サーバシステムに送信し、前記サーバシステムから前記ダウンロードする資料ファイルを受信するダウンロードステップと、
を備え、
前記データベース登録ステップにおいて、前記登録用Ｗｅｂページが、前記登録する資料ファイルの公開条件をユーザに入力させるように構成され、前記クライアント装置が、入力された前記公開条件を前記サーバシステムに送信して記憶させ、
前記ダウンロードステップにおいて、前記ダウンロードする資料ファイルを選択したユーザに対して当該資料ファイルが公開可能であるときのみ、前記クライアント装置が、前記サーバシステムから当該資料ファイルを受信し、公開不可能であるときは、前記クライアント装置が、公開不可能であることを示す通知を表示し、当該資料ファイルを前記データベースに登録したユーザについての情報を表示可能であることを特徴とする方法。
【請求項７】
前記検索用Ｗｅｂページが、所在地名等のキーワードによる検索を要求できる一方、地名を入力することにより、当該地名で示される地域を含む地図を表示し、当該地図上で検索範囲を指定することにより、当該検索範囲に所在地が存在するような資料ファイルを検索させる地図検索を要求できるように構成されていることを特徴とする請求項６記載の方法。
【請求項８】
前記地図が、前記データベースに資料ファイルが登録されている区域を識別可能に構成されていることを特徴とする請求項７記載の方法。
【請求項９】
前記クライアント装置が、前記クライアント装置のユーザの前記個人データ格納部に格納されている資料ファイルから、サービスを受ける資料ファイルを選択し、さらに、受けるサービスを選択するためのサービス要求用Ｗｅｂページを、前記サーバシステムから受信して表示し、選択された前記サービスを受ける資料ファイル及び受けるサービスについての情報を、前記サーバシステムに送信し、前記サーバシステムからサービス提供者のコンピュータに前記サービスを受ける資料ファイルを送信させ、前記サービスを受けた結果の資料ファイルを、前記クライアント装置のユーザの前記個人データ格納部に格納させるアライアンスサービスステップを、さらに有することを特徴とする請求項６、７、又は、８記載の方法。
【請求項１０】
ユーザ側に設けられた複数のクライアント装置とインターネットを介して交信可能であって、各ユーザが共通して利用可能なデータベースと、前記各ユーザが排他的に利用可能な個人データ格納部と、を備え、土地家屋等に関する資料を提供するためのサーバシステムであって、
前記クライアント装置から、資料ファイルのアップロード要求を受信し、前記クライアント装置から、アップロードすべき資料ファイルと、前記アップロードすべき資料ファイルの属性情報と、を取得し、前記アップロード要求をしたユーザの前記個人データ格納部に格納するアップロード手段と、
前記クライアント装置から、資料ファイルの登録要求を受信し、前記登録要求をしたユーザの前記個人データ格納部から、登録すべき資料ファイルを取得し、前記登録すべき資料ファイルの属性情報に基づいて、前記データベースに登録するデータベース登録手段と、
前記クライアント装置から、資料ファイルの検索要求を受信し、前記データベースに登録されている資料ファイルを検索し、検索された資料ファイルについての検索結果情報を、前記クライアント装置に送信する検索手段と、
前記クライアント装置から、前記検索された資料ファイルの中から選択された資料ファイルのダウンロード要求を受信し、前記選択された資料ファイルを、前記クライアント装置に送信するダウンロード手段と、
前記クライアント装置から、資料ファイルの公開条件を受信して記憶する公開条件取得手段と、
を備え、
前記ダウンロード手段が、前記公開条件に基づいて、前記選択された資料ファイルが、前記ダウンロード要求をしたユーザに対して公開可能であるときのみ、当該資料ファイルを前記クライアント装置に送信し、公開不可能であるときに、当該資料ファイルを前記データベースに登録したユーザについての情報を前記クライアント装置に表示可能とすることを特徴とするサーバシステム。
【請求項１１】
ユーザ側に設けられた複数のクライアント装置とインターネットを介して交信可能であって、各ユーザが共通して利用可能なデータベースと、前記各ユーザが排他的に利用可能な個人データ格納部と、を備えたサーバシステムを、
前記クライアント装置から、資料ファイルのアップロード要求を受信し、前記クライアント装置から、アップロードすべき資料ファイルと、前記アップロードすべき資料ファイルの属性情報と、を取得し、前記アップロード要求をしたユーザの前記個人データ格納部に格納するアップロード手段、
前記クライアント装置から、資料ファイルの登録要求を受信し、前記登録要求をしたユーザの前記個人データ格納部から、登録すべき資料ファイルを取得し、前記登録すべき資料ファイルの属性情報に基づいて、前記データベースに登録するデータベース登録手段、
前記クライアント装置から、資料ファイルの公開条件を受信して記憶する公開条件取得手段、
前記クライアント装置から、資料ファイルの検索要求を受信し、前記データベースに登録されている資料ファイルを検索し、検索された資料ファイルについての検索結果情報を、前記クライアント装置に送信する検索手段、
前記クライアント装置から、前記検索された資料ファイルの中から選択された資料ファイルのダウンロード要求を受信し、前記公開条件に基づいて、前記選択された資料ファイルが、前記ダウンロード要求をしたユーザに対して公開可能であるときのみ、当該資料ファイルを前記クライアント装置に送信し、公開不可能であるときに、当該資料ファイルを前記データベースに登録したユーザについての情報を前記クライアント装置に表示可能とするダウンロード手段、
として機能させるためのプログラム。
【発明の詳細な説明】
【０００１】
【発明の属する技術分野】
本発明は、インターネットを介して、土地家屋等に関する資料を提供するための資料提供方法及びサーバシステムに関し、特に、土地家屋調査士であるユーザが、業務に必要な資料を互いに提供し合うことができる資料提供方法及びサーバシステムに関する。
【０００２】
【従来の技術】
従来、土地家屋調査士（以下、単に調査士とも言う。）が調査業務を行う場合には、調査地域周辺について他の調査士が法務局に提出した地積測量図等の資料を、法務局にて閲覧し、必要分を複写していた。また、境界を定めるのに重要な隣接地の実測測量図等、法務局に提出されない資料の場合は、その作成者の名前・住所等を調べて提供を依頼したりしていた。
【０００３】
【発明が解決しようとする課題】
上記のように従来の方法では、調査士が法務局へ出向いたり、作成者の名前等を調べて提供を依頼したりしなければならないので、資料の収集に時間や手間がかかっていた。また、上記のような図面以外にも、測量業務により得られる現場写真や申請書等の資料は、その資料を作成した調査士が個々に所有しているだけなので、互いに利用し合うことができなかった。
【０００４】
そこで、例えば、インターネットに接続されたデータベースに、各調査士が手持ちの資料を登録し、互いに利用できるようにすることが考えられるが、資料の登録の際に、インターネットを介した送受信が頻繁に発生するため、時間や手間がかかったり、大量の資料を登録する場合は、回線負荷が大きくなるため、回線の切断が発生したりして、登録が容易でないといった問題があった。
【０００５】
この発明は、上述した問題を解決するものであり、土地家屋等に関する資料を容易にデータベースに登録でき、互いに利用することができる資料提供方法及びサーバシステムを提供することを目的とする。
【０００６】
【課題を解決するための手段】
本発明の資料提供方法は、ユーザ側に設けられた複数のクライアント装置とインターネットを介して交信可能であって、各ユーザが共通して利用可能なデータベースと、前記各ユーザが排他的に利用可能な個人データ格納部と、を備えたサーバシステムを用いて、土地家屋等に関する資料を提供する方法であって、前記サーバシステムが、前記クライアント装置を介して、ユーザから資料ファイルのアップロード要求を受け付け、前記クライアント装置から、アップロードすべき資料ファイルと、前記アップロードすべき資料ファイルの属性情報と、を取得し、前記アップロード要求をしたユーザの前記個人データ格納部に格納するアップロードステップと、前記サーバシステムが、前記クライアント装置を介して、ユーザから資料ファイルの登録要求を受け付け、前記登録要求をしたユーザの前記個人データ格納部から、登録すべき資料ファイルを取得し、前記登録すべき資料ファイルの属性情報に基づいて、前記データベースに登録するデータベース登録ステップと、前記サーバシステムが、前記クライアント装置を介して、ユーザから資料ファイルの検索要求を受け付け、前記データベースに登録されている資料ファイルを検索し、検索された資料ファイルについての検索結果情報を、前記クライアント装置に送信する検索ステップと、前記サーバシステムが、前記クライアント装置を介して、ユーザから、前記検索された資料ファイルの中から選択された資料ファイルのダウンロード要求を受け付け、前記選択された資料ファイルを、前記クライアント装置に送信するダウンロードステップと、を有することを特徴とする。
【０００７】
ここで、前記ダウンロードステップにおいて、前記サーバシステムが、予め前記クライアント装置を介してユーザから取得しておいた公開条件に基づいて、前記選択された資料ファイルが、前記ダウンロード要求をしたユーザに対して公開可能か否かを判断し、公開可能であるときのみ、当該資料ファイルを前記クライアント装置に送信し、少なくとも公開不可能であるときに、当該資料ファイルを前記データベースに登録したユーザについての情報を前記クライアント装置に表示可能とすることが好ましい。
【０００８】
また、前記データベースには、前記クライアント装置において地図を表示するための地図情報が格納されており、前記サーバシステムが、資料ファイルに係る前記地図上の所在地に識別情報を表示するための情報を、取得するステップと、前記サーバシステムが、前記クライアント装置を介して、ユーザから地図検索要求を受け付け、前記識別情報を表示するための情報に基づいて、前記データベースに登録されている資料ファイルに係る前記地図上の所在地に前記識別情報が表示されるような前記地図情報を、前記クライアント装置に送信する地図検索ステップと、をさらに有することが好ましい。
【０００９】
また、前記データベース登録ステップにおいて、前記登録すべき資料ファイルについて縮小表示可能なサムネイル情報を作成して、前記データベースに登録し、前記検索ステップにおいて、前記クライアント装置を介して、ユーザから、前記検索された資料ファイルのサムネイル情報の表示要求を受け付け、当該サムネイル情報を前記クライアント装置に送信することが好ましい。
【００１０】
また、前記サーバシステムが、資料ファイルに対するサービスを行うサービス提供者のコンピュータと接続されており、前記サーバシステムが、前記クライアント装置を介して、ユーザからサービス要求を受け付け、サービスを受けるべき資料ファイルを、前記サービス要求をしたユーザの前記個人データ格納部から取得して、前記サービス提供者のコンピュータに送信し、サービスを受けた結果の資料ファイルを、前記サービス提供者のコンピュータから受信して、前記サービス要求をしたユーザの前記個人データ格納部に格納するアライアンスサービスステップを、さらに有することが好ましい。
【００１１】
また、前記サーバシステムが、ユーザが属するグループに関するデータを格納するグループデータ格納部を備えるとともに、前記グループに属するユーザに対する課金を行うグループ管理者のコンピュータと接続され、前記サーバシステムが、前記グループに関するデータに基づいて、前記グループに属するユーザの課金情報を、前記個人データ格納部から取得して、前記グループ管理者のコンピュータに送信する課金ステップを、さらに有することが好ましい。
【００１２】
本発明の方法は、各ユーザが共通して利用可能なデータベースと、前記各ユーザが排他的に利用可能な個人データ格納部と、を備えたサーバシステムに、インターネットを介して接続されたクライアント装置を用いて、土地家屋等に関する資料を提供し取得するための方法であって、前記クライアント装置が、前記サーバシステムにアップロードする資料ファイルを特定するための特定情報と、前記アップロードする資料ファイルに係る土地家屋等の所在地情報を含む属性情報と、を入力するためのアップロード用Ｗｅｂページを、前記サーバシステムから受信して表示し、入力された前記特定情報により特定される資料ファイルと、入力された前記属性情報とを、前記サーバシステムに送信して、前記クライアント装置のユーザの前記個人データ格納部へ格納させるアップロードステップと、前記クライアント装置が、前記クライアント装置のユーザの前記個人データ格納部に格納されている資料ファイルから、前記データベースに登録する資料ファイルを選択するための登録用Ｗｅｂページを、前記サーバシステムから受信して表示し、選択された前記登録する資料ファイルについての情報を前記サーバシステムに送信して、前記登録する資料ファイルを、少なくとも所在地についての条件による検索が可能なように、前記データベースに登録させるデータベース登録ステップと、前記クライアント装置が、前記データベースに登録されている資料ファイルの検索条件として、少なくとも所在地についての条件を入力できる検索用Ｗｅｂページを、前記サーバシステムから受信して表示し、入力された検索条件を前記サーバシステムに送信して前記データベースを検索させ、検索された資料ファイルについての検索結果情報を、前記サーバシステムから受信して表示する検索ステップと、前記クライアント装置が、前記検索された資料ファイルの中から選択されたダウンロードする資料ファイルについての情報を、前記サーバシステムに送信し、前記サーバシステムから前記ダウンロードする資料ファイルを受信するダウンロードステップと、を備えることを特徴とする。
【００１３】
ここで、前記データベース登録ステップにおいて、前記登録用Ｗｅｂページが、前記登録する資料ファイルの公開条件をユーザに入力させるように構成され、前記クライアント装置が、入力された前記公開条件を前記サーバシステムに送信して記憶させ、前記ダウンロードステップにおいて、前記ダウンロードする資料ファイルを選択したユーザに対して当該資料ファイルが公開可能であるときのみ、前記クライアント装置が、前記サーバシステムから当該資料ファイルを受信し、公開不可能であるときは、前記クライアント装置が、公開不可能であることを示す通知を表示し、当該資料ファイルを前記データベースに登録したユーザについての情報を表示可能であることが好ましい。
【００１４】
また、前記検索用Ｗｅｂページが、所在地名等のキーワードによる検索を要求できる一方、地名を入力することにより、当該地名で示される地域を含む地図を表示し、当該地図上で検索範囲を指定することにより、当該検索範囲に所在地が存在するような資料ファイルを検索させる地図検索を要求できるように構成されていることが好ましい。
【００１５】
また、前記地図が、前記データベースに資料ファイルが登録されている区域を識別可能に構成されていることが好ましい。
【００１６】
また、前記クライアント装置が、前記クライアント装置のユーザの前記個人データ格納部に格納されている資料ファイルから、サービスを受ける資料ファイルを選択し、さらに、受けるサービスを選択するためのサービス要求用Ｗｅｂページを、前記サーバシステムから受信して表示し、選択された前記サービスを受ける資料ファイル及び受けるサービスについての情報を、前記サーバシステムに送信し、前記サーバシステムからサービス提供者のコンピュータに前記サービスを受ける資料ファイルを送信させ、前記サービスを受けた結果の資料ファイルを、前記クライアント装置のユーザの前記個人データ格納部に格納させるアライアンスサービスステップを、さらに有することが好ましい。
【００１７】
本発明のサーバシステムは、ユーザ側に設けられた複数のクライアント装置とインターネットを介して交信可能であって、各ユーザが共通して利用可能なデータベースと、前記各ユーザが排他的に利用可能な個人データ格納部と、を備え、土地家屋等に関する資料を提供するためのものであって、前記クライアント装置から、資料ファイルのアップロード要求を受信し、前記クライアント装置から、アップロードすべき資料ファイルと、前記アップロードすべき資料ファイルの属性情報と、を取得し、前記アップロード要求をしたユーザの前記個人データ格納部に格納するアップロード手段と、前記クライアント装置から、資料ファイルの登録要求を受信し、前記登録要求をしたユーザの前記個人データ格納部から、登録すべき資料ファイルを取得し、前記登録すべき資料ファイルの属性情報に基づいて、前記データベースに登録するデータベース登録手段と、前記クライアント装置から、資料ファイルの検索要求を受信し、前記データベースに登録されている資料ファイルを検索し、検索された資料ファイルについての検索結果情報を、前記クライアント装置に送信する検索手段と、前記クライアント装置から、前記検索された資料ファイルの中から選択された資料ファイルのダウンロード要求を受信し、前記選択された資料ファイルを、前記クライアント装置に送信するダウンロード手段と、を備えることを特徴とする。
【００１８】
ここで、前記クライアント装置から、資料ファイルの公開条件を受信して記憶する公開条件取得手段をさらに有し、前記ダウンロード手段が、前記公開条件に基づいて、前記選択された資料ファイルが、前記ダウンロード要求をしたユーザに対して公開可能であるときのみ、当該資料ファイルを前記クライアント装置に送信することが好ましい。
【００１９】
本発明のプログラムは、ユーザ側に設けられた複数のクライアント装置とインターネットを介して交信可能であって、各ユーザが共通して利用可能なデータベースと、前記各ユーザが排他的に利用可能な個人データ格納部と、を備えたサーバシステムを、前記クライアント装置から、資料ファイルのアップロード要求を受信し、前記クライアント装置から、アップロードすべき資料ファイルと、前記アップロードすべき資料ファイルの属性情報と、を取得し、前記アップロード要求をしたユーザの前記個人データ格納部に格納するアップロード手段、前記クライアント装置から、資料ファイルの登録要求を受信し、前記登録要求をしたユーザの前記個人データ格納部から、登録すべき資料ファイルを取得し、前記登録すべき資料ファイルの属性情報に基づいて、前記データベースに登録するデータベース登録手段、前記クライアント装置から、資料ファイルの検索要求を受信し、前記データベースに登録されている資料ファイルを検索し、検索された資料ファイルについての検索結果情報を、前記クライアント装置に送信する検索手段、前記クライアント装置から、前記検索された資料ファイルの中から選択された資料ファイルのダウンロード要求を受信し、前記選択された資料ファイルを、前記クライアント装置に送信するダウンロード手段、として機能させることを特徴とする。
【００２０】
また、本発明のプログラムは、ユーザ側に設けられた複数のクライアント装置とインターネットを介して交信可能であって、各ユーザが共通して利用可能なデータベースと、前記各ユーザが排他的に利用可能な個人データ格納部と、を備えたサーバシステムを、前記クライアント装置から、資料ファイルのアップロード要求を受信し、前記クライアント装置から、アップロードすべき資料ファイルと、前記アップロードすべき資料ファイルの属性情報と、を取得し、前記アップロード要求をしたユーザの前記個人データ格納部に格納するアップロード手段、前記クライアント装置から、資料ファイルの登録要求を受信し、前記登録要求をしたユーザの前記個人データ格納部から、登録すべき資料ファイルを取得し、前記登録すべき資料ファイルの属性情報に基づいて、前記データベースに登録するデータベース登録手段、前記クライアント装置から、資料ファイルの公開条件を受信して記憶する公開条件取得手段、前記クライアント装置から、資料ファイルの検索要求を受信し、前記データベースに登録されている資料ファイルを検索し、検索された資料ファイルについての検索結果情報を、前記クライアント装置に送信する検索手段、前記クライアント装置から、前記検索された資料ファイルの中から選択された資料ファイルのダウンロード要求を受信し、前記公開条件に基づいて、前記選択された資料ファイルが、前記ダウンロード要求をしたユーザに対して公開可能であるときのみ、当該資料ファイルを前記クライアント装置に送信するダウンロード手段、として機能させることを特徴とする。
【００２１】
なお、公開条件とは、非公開とする場合や、特定者のみに公開とする場合も含むものとする。
【００２２】
また、選択とは、複数のものから１つを選択する場合のみならず、１つのものからその１つを選択する場合も含むものとする。
【００２３】
【発明の実施の形態】
以下、本発明の一実施形態を図面に基づいて説明する。以下に説明する実施形態は、土地家屋調査士向けのシステムとして構成され、ユーザは土地家屋調査士である。また、資料とは、地積測量図、確定測量図、現場写真、申請書、申請図書、謄本、公図、換地図、土地所有者情報、引照点情報等、土地家屋調査士の業務に係る資料を言う。資料ファイル（以下、単にファイルとも言う）とは、資料をコンピュータで扱えるデータにして格納したファイルを言う。
１．システム構成
図１に示すように、サーバシステム１は、いずれもコンピュータである個人フォルダサーバ１１と土地資料センターサーバ（以下、単にセンターサーバとも言う）１２とを備えており、個人フォルダサーバ１１とセンターサーバ１２とは、互いに接続されている。また、個人フォルダサーバ１１及びセンターサーバ１２は、いずれも、ユーザ側に設けられた複数のクライアント装置２と、インターネットを介して接続されている。クライアント装置２は、パソコンであり、Ｗｅｂブラウザを備えている。
【００２４】
個人フォルダサーバ１１は、複数の個人フォルダ１３と、１以上のグループフォルダ１４と、を備えている。ここで、グループとは、ユーザを束ねる単位であり、例えば或る県の土地家屋調査士会の或る支部というように、任意に決められる。個人フォルダ１３はユーザ毎に設けられ、各ユーザがそれぞれ自己の個人フォルダ１３を排他的に利用可能とされている。この個人フォルダ１３が、本発明の個人データ格納部に相当し、グループフォルダ１４が、本発明のグループデータ格納部に相当する。
【００２５】
また、個人フォルダサーバ１１は、データ変換等の各種サービスを行う提携企業（アライアンス企業）側に設けられた１以上のコンピュータ３と接続され、また、課金管理等を行うグループ管理者側に設けられた１以上のコンピュータ４と接続されている。
【００２６】
個人フォルダ１３は、個人フォルダ属性テーブル（以下、単に属性テーブルとも言う）１５を備えている。属性テーブル１５には、個人フォルダ１３のフォルダＩＤ、個人フォルダ１３に格納されている各ファイルのファイル番号、実ファイル名、論理ファイル名、ファイルサイズ、作成日、作成者名、関連ファイル番号、ファイル状態、所在地名、地番、残地番、登録フラグ、課金フラグ、課金情報、備考等の属性情報が格納される。ここで、ファイル状態は、通常のファイル、圧縮ファイル、アライアンス企業による変換後のファイル等、ファイルの状態を表し、登録フラグは、データベース１７に未登録か登録済か等、登録の状態を表し、課金フラグは、未課金か課金済か等、課金の状態を表すものである。
【００２７】
グループフォルダ１４は、グループフォルダテーブルを備えている。グループフォルダテーブルには、そのグループフォルダ１４を使うグループのグループＩＤ、そのグループに属する各ユーザの個人フォルダ１３のフォルダＩＤ、フォルダ名、フォルダサイズ、そのグループに対する課金情報、備考等が格納される。なお、前述のフォルダＩＤは、グループＩＤにユーザＩＤを付加したものである。
【００２８】
センターサーバ１２は、データベース１７を備えており、データベース１７には、クライアント装置２において地図を表示可能な地図情報が格納されている。
【００２９】
そして、サーバシステム１には、例えば、Ｗｅｂページを表示するためのデータ（例えば、ＨＴＭＬファイル）等の各種データ、及び、ファイルをアップロードするためのプログラムやデータベース１７に登録するためのプログラム等の各種プログラムが記憶されており、これらにより、サーバシステム１は、アップロード手段、データベース登録手段、公開条件取得手段、検索手段、ダウンロード手段として、機能する。
【００３０】
また、コンピュータ４は、課金情報テーブルを備えており、課金情報テーブルには、課金情報ＩＤ、アライアンス企業名、サービス名、単価等が格納されている。
２．動作説明
次に、サーバシステム１の動作について説明する。ここでは、まず、個人フォルダ１３へファイルをアップロードするアップロードステップ、個人フォルダ１３からデータベース１７へファイルを登録するデータベース登録ステップ、データベース１７からファイルを検索してダウンロードする検索ステップ及びダウンロードステップについて説明した後、個人フォルダ１３に格納されているファイルのデータ変換等を行うアライアンスサービスステップ、課金管理を行う課金管理ステップについて説明する。
【００３１】
(1) アップロードステップ（図２参照）
ユーザがクライアント装置２（図１の例ではクライアント装置２ａ）においてサーバシステム１にアクセスし、ユーザＩＤ、パスワード等を入力すると、サーバシステム１はクライアント装置２に、土地資料センターボタン２１、個人フォルダボタン２２等（図９参照）がクリック可能に設けられたホームページ（図示せず）を送信する。
【００３２】
ユーザがホームページ上の個人フォルダボタン２２をクリックすると、クライアント装置２はサーバシステム１に個人フォルダページを要求する（図２のＳ０１）。サーバシステム１は、入力されたユーザＩＤに対応するフォルダＩＤをキーとして、属性テーブル１５を検索し、そのユーザの個人フォルダ１３に格納されているファイルの属性情報を取得して、個人フォルダページをクライアント装置２に送信する（Ｓ０２）。
【００３３】
クライアント装置２には、図９に示すように、個人フォルダページが表示される（Ｓ０３）。個人フォルダページには、そのユーザの個人フォルダに格納されているファイルの属性情報のうち、ファイル名（実ファイル名）、名前（論理ファイル名）、登録日（資料の作成日）、未登録か登録済かの状態、所在地名、地番が一覧表示される。
【００３４】
ユーザが新規作成ボタン２４をクリックすると、クライアント装置２はサーバシステム１に新規作成ページを要求し（Ｓ０４）、サーバシステム１は新規作成ページをクライアント装置２に送信し（Ｓ０５）、クライアント装置２には、図１０に示すように、新規作成ページが表示される（Ｓ０６）。この新規作成ページがアップロード用Ｗｅｂページに相当する。
【００３５】
新規作成ページには、実ファイル名、論理ファイル名、作成年月日、作成者、所在、地番、残地番、備考、資料種別の各入力欄が設けられており、ユーザは、これらの入力欄に、個人フォルダ１３に格納するファイルの属性情報を入力する。すなわち、論理ファイル名、実ファイル名、作成年月日、作成者名、所在地名、地番、残地番、備考、資料種別を入力する。
【００３６】
ここで、所在地名及び地番（これらが、所在地情報となる）は、ファイルに格納されている資料に係る土地家屋等の所在地名及び地番（以下、登録地番とも言う）であり、例えば、或る土地の地積測量図を格納したファイルであれば、その土地の所在地名及び地番となる。また、残地番とは、登録地番に隣接した土地の地番であり、残地番を入力しておくことにより、データベース１７にファイルを登録した際に、残地番で検索することが可能となる。例えば、登録地番が「４−１８」のファイルをアップロードするときに、残地番に「４−１７」、「４−１９」を入力しておき、そのファイルをデータベース１７に登録するとする。すると、登録地番「４−１７」のファイルを検索する際に、地番及び残地番の両方に「４−１７」を検索キーとして入力して検索すれば、登録地番が「４−１７」のファイルのみならず、登録地番が「４−１８」のファイルも（残地番が「４−１７」なので）検索される。すなわち、境界を定めるために重要な隣接地域のファイルも、同時に検索できることとなる。
【００３７】
また、論理ファイル名を入力する際に、ユーザが参照ボタン３２をクリックすれば、クライアント装置２に格納されているファイルの一覧が表示され、その一覧から選択することにより、論理ファイル名が入力される。
【００３８】
また、資料種別とは、ファイルに格納されている資料の種別であり、地積測量図、公図等が選択入力できる。
【００３９】
また、新規作成ページには、地図情報入力ボタン３３が設けられており、ユーザが、この地図情報入力ボタン３３をクリックすると、クライアント装置２には、入力された所在地名及び地番で示される地域を含む地図が表示される。ユーザは、マウス操作により、アップロードするファイルに係る地図上の所在地（すなわち、そのファイルに格納されている資料に係る土地家屋等の所在地）に、ファイルの存在を示す識別情報を作成する。
【００４０】
ここで、識別情報として、本実施形態では、所在地を線で囲み、斜線、色等を付加したもの（以下、ポリゴンと言う）を作成し得る。このポリゴンは、例えば、地積測量図であれば緑の斜線入り、土地所有者情報であれば赤の斜線入り等、資料種別に応じて異なるものが作成され、また、同一所在地に重ねて複数種のポリゴンを作成し得る。なお、本実施形態では、例えば公図等、資料種別によっては、ユーザが識別情報を作成できないものもある。
【００４１】
ユーザが登録ボタン３１をクリックすると、クライアント装置２は、入力された情報をサーバシステム１に送信して、アップロードを要求し（Ｓ０７）、論理ファイル名により特定されるファイルをアップロードすべきファイルとして、サーバシステム１に送信する。すなわち、論理ファイル名が、アップロードするファイルを特定する特定情報となる。なお、ファイルを送信すると言う場合、実際には、ファイルの内容をコピーすることとなり、送信元のファイルは残存している。ファイルを格納する又は登録すると言う場合も同様である。また、クライアント装置２は、ユーザが作成したポリゴンに関する情報（座標値等、ポリゴンを表示するための情報を含む）も、サーバシステム１に送信する。
【００４２】
サーバシステム１は、クライアント装置２から送信されたファイルを、そのユーザの個人フォルダ１３に格納し、属性情報を属性テーブル１５に格納する（Ｓ０８）。ファイル番号等、送信された属性情報に含まれていない情報については、サーバシステム１が生成する。また、サーバシステム１は、送信されたポリゴンに関する情報も、送信されたファイルに関連付けて記憶しておく。
【００４３】
ユーザが再び個人フォルダページを要求して表示させると（Ｓ０９〜Ｓ１１）、個人フォルダページには、図１１に示すように、新規に個人フォルダ１３に格納されたファイルの属性情報を表示する行２６が追加されている。
【００４４】
(2) データベース登録ステップ（図３参照）
ユーザが、上記アップロードステップと同様に、個人フォルダページをクライアント装置２に表示させ（図３のＳ２１〜Ｓ２３）、登録しようとするファイルの情報が表示された行２６のチェックボックス２７ｅ（図１１参照）にチェックを入力し、登録ボタン２８をクリックすると、クライアント装置２には、公開条件を指定するためのボックスが表示される。このボックスは図示しないが、図２１の地積測量図登録ボックス７１の下部と同様である。
【００４５】
このボックスにおいて、ユーザが、サムネイル情報とファイルの内容のそれぞれについて、非公開、公開、指定ユーザ（すなわち、指定ユーザにのみ公開）、のいずれかを指定し、ボックス上のＯＫボタンをクリックすると、クライアント装置２は、チェックが入力されたファイルの属性情報、及び、入力された公開条件をサーバシステム１に送信して、ファイルの登録を要求する（Ｓ２４）。すなわち、個人フォルダページは、登録用Ｗｅｂページに相当する。なお、「指定ユーザ」を指定した場合は、クライアント装置２に指定ユーザを入力するためのボックス（図示せず）が表示されるので、ユーザは、そのボックスにおいて、公開可能なユーザを指定する。
【００４６】
サーバシステム１は、送信された属性情報に基づいて、そのユーザの個人フォルダ１３から登録すべきファイルを取得し、所在地名、地番、作成者名、作成日による検索が可能なように、データベース１７に登録（格納）するとともに、そのファイルの公開条件を登録する（Ｓ２５）。
【００４７】
データベース１７へのファイルの登録について、図１２を用いて説明する。データベース１７は、データベース属性テーブル１８を備えており、データベース属性テーブル１８には、データベース１７に登録されている各ファイルの所在地名、地番、作成者名、作成日を含む属性情報が格納されている。サーバシステム１は、送信された属性情報の所在地名、地番に該当する属性情報がデータベース属性テーブル１８中にあれば、その該当する属性情報に、送信された属性情報を追加し、該当するものがなければ、送信された属性情報を新規の属性情報としてデータベース属性テーブル１８に登録する。そして、ファイルをデータベース１７に登録し、そのファイル名をデータベース属性テーブル１８中の対応する属性情報に関連付けて登録する。
【００４８】
また、サーバシステム１は、登録するファイルの内容を縮小表示可能なサムネイル情報を生成し、登録するファイルと関連付けてデータベース１７に登録するとともに、そのサムネイル情報の公開条件も登録する。
【００４９】
また、サーバシステム１は、登録するファイルのポリゴンに関する情報をクライアント装置２から取得し、記憶しておく。
【００５０】
(3) 検索ステップ（図４、図５参照）
ユーザ（このユーザは、上記アップロード及びデータベース１７への登録を行ったユーザとは異なるユーザでもよい）が、クライアント装置２（図１の例ではクライアント装置２ｂ）においてサーバシステム１にアクセスし、ユーザＩＤ、パスワード等を入力すると、サーバシステム１はクライアント装置２に、上記したホームページを送信する。
【００５１】
ユーザがホームページ上の土地資料センターボタン２１をクリックすると、クライアント装置２はサーバシステム１に土地資料センターページ（以下、単にセンターページと言う）を要求する（図４のＳ３１）。すると、サーバシステム１は、センターページをクライアント装置２に送信し（Ｓ３２）、クライアント装置２には、センターページが表示される。そして、図１３に示すように、ユーザがセンターページに設けられた検索ボタン４１をクリックすると、センターページ上に検索ボックス４２が表示される（Ｓ３３）。ユーザは、この検索ボックス４２を用いて、以下のようにキーワード検索又は地図検索ができる。すなわち、センターページは、検索用Ｗｅｂページに相当する。
【００５２】
▲１▼キーワード検索
ユーザが、キーワード検索を選択し、キーワードとして所在地名（図１３の例では、名古屋市中区×３丁目）及び作成日の範囲（図１３の例では平成１４年２月１日〜２８日）を入力して、ＯＫボタン４３をクリックすると、クライアント装置２は、入力されたキーワードをサーバシステム１に送信して、キーワード検索を要求する（Ｓ３４）。サーバシステム１は、受信したキーワードに基づいてデータベース１７を検索し、該当するファイルについて一覧表示する検索結果情報を生成し、クライアント装置２に送信する（Ｓ３５）。
【００５３】
クライアント装置２には、図１４に示すような検索結果ボックス５１が表示され、検索結果情報（検索結果一覧）として、所在地名、地番、作成日、作成者、残地番、登録ファイル（データベース１７に登録されているファイル）の有無が、表示される（Ｓ３６）。
【００５４】
▲２▼地図検索（図５参照）
ユーザが、センターページ上の検索ボックス４２において地図検索を選択し、地名として、都道府県名、市郡町村名、字丁目を入力して、ＯＫボタン４３をクリックすると、クライアント装置２は、入力された地名をサーバシステム１に送信して、地図検索を要求する（図５のＳ５１）。
【００５５】
サーバシステム１は、送信された地名に基づいて、その地名で示される地域を含む地図を表示可能な地図情報を、データベース１７から検索して、クライアント装置２に送信する（Ｓ５２）。これにより、クライアント装置２には、図１５に示すように地図が表示される（Ｓ５３）。この地図には、他のユーザが登録したものも含めて、登録ファイルの存在を表すポリゴンが表示されている。
【００５６】
ユーザが、マウス操作により表示される枠４０で検索範囲を囲み、一覧表示ボタン５０をクリックすると、クライアント装置２はサーバシステム１に検索範囲についての情報を送信する（Ｓ５４）。サーバシステム１は、受信した情報に基づいて、その検索範囲に入る地域について登録されているファイルの属性情報を、データベース１７から読み出し、検索結果情報（検索結果一覧）をクライアント装置２に送信する（Ｓ５５）。クライアント装置２には、送信された検索結果一覧が、検索結果ボックス５１に表示される（Ｓ５６）。
【００５７】
▲３▼地図表示
なお、ユーザは、特にキーワード検索した場合など、検索されたファイルに係る所在地を地図で確認したい場合には、検索結果一覧が表示された際に、検索結果ボックス５１において行５２を選択し、地図表示ボタン５５をクリックする。
すると、クライアント装置２は、選択された行５２の所在地名及び地番で示される地域を含む地図（図１４の例では、名古屋市中区×３丁目４−１８を含む地図）の表示を、サーバシステム１に要求する（図４のＳ３６１）。サーバシステム１は、送信された情報に基づいて、その地図を表示可能な地図情報をクライアント装置２に送信し（Ｓ３６２）、クライアント装置２には地図が表示される（Ｓ３６３）。この地図には、他のユーザが登録したものも含めて、登録ファイルの存在を表すポリゴンが表示される（図１５参照）。
【００５８】
▲４▼サムネイル表示
ユーザが、キーワード検索又は地図検索によって表示された検索結果一覧において、行５２をクリックにより選択し、サムネイルボタン５３をクリックすると、クライアント装置２は、選択された行５２の情報をサーバシステム１に送信し、サムネイルの表示を要求する（図４のＳ３７）。
【００５９】
サーバシステム１は、送信された情報に基づいて、その所在地名、地番、作成者、作成日に対して関連付けられている登録ファイルのサムネイル情報を読み出し、クライアント装置２に送信する（Ｓ３８）。関連付けられている登録ファイルが複数あれば、クライアント装置２には、図１６に示すように、サムネイル情報が複数表示される（Ｓ３９）。
【００６０】
(4) ダウンロードステップ（図４参照）
ユーザが、図１６に示すサムネイル情報から、例えば「現場写真」をクリックにより選択し、ダウンロードボタン５４をクリックすると、クライアント装置２は、選択された登録ファイルのダウンロードをサーバシステム１に要求する（Ｓ４０）。サーバシステム１は、その登録ファイルの公開条件を参照し、そのファイルがダウンロードを要求したユーザに公開可能であれば、そのファイルをクライアント装置２に送信し（Ｓ４１）、クライアント装置２はそのファイルを受信する（Ｓ４２）。これにより、ユーザは現場写真を取得できる。
【００６１】
また、サーバシステム１は、そのファイルがダウンロードを要求したユーザに公開不可能であれば、公開されていない旨のメッセージをクライアント装置２に表示する。かかる場合、ユーザがユーザ情報ボタン５６をクリックすれば、そのファイルをデータベースに登録したユーザ（以下、登録ユーザとも言う）についての情報が表示されるので、ユーザは、登録ユーザに直接連絡を取って、資料の提供を依頼することができる。なお、登録ユーザについての情報は、登録ユーザに連絡を取れるような情報であればよく、氏名、住所の他、電話番号やメールアドレスであってもよい。
【００６２】
(5) アライアンスサービスステップ（図６、図７参照）
ユーザが、上記アップロードステップと同様に、図９に示すような個人フォルダページをクライアント装置２に表示させ（図６のＳ６１〜Ｓ６３）、サービスを受けさせるファイルを選択するため、チェックボックス２７ｃ、２７ｄにチェックを入力し、アライアンスボタン２３をクリックすると、クライアント装置２はサーバシステム１にアライアンスサービスページ（以下、単にサービスページとも言う）を要求し（Ｓ６４）、サーバシステム１はクライアント装置２にサービスページを送信する（Ｓ６５）。
【００６３】
クライアント装置２には、図１７に示すように、サービスページが表示され、選択されたファイルのファイル名が表示されている（Ｓ６６）。サービスページには、サービス選択欄６１が設けられ、右端の逆三角ボタンをクリックすることにより、プルダウンメニューが表示されるので、ユーザはそのメニューから、受けたいサービスの社名及びサービス名を選択する。なお、ユーザは、サービスページに設けられた要望事項欄６２に、アライアンス企業に対する要望を入力することができる。ユーザが、サービスページ上の登録ボタン６３をクリックすると、クライアント装置２は、入力された情報をサーバシステム１に送信し、アライアンスサービスへの登録を要求する（Ｓ６７）。すなわち、サービスを受けるファイルを選択するための個人フォルダページ、及び、受けるサービスを選択するためのサービスページの両方により、サービス要求用Ｗｅｂページが構成されている。
【００６４】
サーバシステム１は、受信した情報に基づいて、選択されたアライアンス企業のコンピュータ３に、選択されたサービス名、選択されたファイル及びそのファイル情報、要望事項等を送信するとともに、アライアンス企業に対して通知を行い、アライアンス企業側に設けられたフォルダへ登録させる。そして、選択されたファイルについて、属性テーブル１５内の情報を更新する。すなわち、課金フラグを１（変換要求）とし、課金情報として、選択したサービスの課金情報ＩＤを格納する（Ｓ６８）。
【００６５】
サーバシステム１は、アライアンス企業へのファイルの登録が完了すると、クライアント装置２に登録完了メッセージを送信し（Ｓ６９）、クライアント装置２には、図１８に示すようにメッセージが表示される（Ｓ７０）。
【００６６】
アライアンス企業のコンピュータ３は、フォルダへ登録されたファイルに対して、データ変換等、選択されたサービスを行った後、変換後のファイルを個人フォルダ１３に格納する。すなわち、コンピュータ３において、オペレータがサーバシステム１にアクセスし、アライアンスＩＤ、パスワードを入力して、個人フォルダ登録ページを要求すると（図７のＳ７１）、サーバシステム１はコンピュータ３に個人フォルダ登録ページを送信し（Ｓ７２）、コンピュータ３には、図１９に示すような個人フォルダ登録ページが表示される（Ｓ７３）。
【００６７】
オペレータが、個人フォルダ登録ページにおいて、登録先（格納先）のフォルダ、属性情報、課金情報、格納しようとするファイル等について指定し、登録ボタン（図示せず）をクリックすると、コンピュータ３は、指定された情報及びファイルをサーバシステム１に送信し、個人フォルダ１３への登録（格納）を要求する（Ｓ７４）。
【００６８】
サーバシステム１は、送信された情報に基づいて、送信されたファイルを個人フォルダ１３に格納し、属性テーブル１５中のそのファイルの属性情報を更新する（Ｓ７５）。すなわち、ファイル状態を２（変換直後のファイル）とし、課金フラグを２（未課金）とする。なお、課金情報には、選択されたサービスの課金情報ＩＤが格納されている。
【００６９】
そして、サービスを要求したユーザから、クライアント装置２を介して個人フォルダページが要求されたとき（Ｓ７６）、個人フォルダページにサービス完了メッセージを付加して送信し（Ｓ７７）、個人フォルダページには、図２０に示すようなメッセージが表示される（Ｓ７８）。サーバシステム１は、サービス完了メッセージ表示後、属性テーブル１５中のファイル状態を３（変換ファイル）とする。
【００７０】
(6) 課金ステップ（図８参照）
グループ管理者のコンピュータ４は、定期的に、サーバシステム１に課金情報を要求する（図８のＳ８１）。サーバシステム１は、グループフォルダ１４を参照して、そのグループに属する各ユーザの属性テーブル１５から、未課金の課金情報を収集し、コンピュータ４に送信する（Ｓ８２）。コンピュータ４は、課金情報を受信して（Ｓ８３）、費用を算出し一覧表示する（Ｓ８４）。
【００７１】
各ユーザに対する課金後、コンピュータ４は、課金済み情報をサーバシステム１に送信し（Ｓ８５）、サーバシステム１は、受信した課金済み情報に基づいて、属性テーブル１５中の課金フラグを課金済に変更する（Ｓ８６）。
３．個人フォルダを経由しない登録等
上記したように、ユーザは、個人フォルダ１３に格納した資料ファイルをデータベース１７に登録することができるが、本実施形態では、以下に説明するように、個人フォルダを経由せずに、直接、地積測量図、公図、引照点、土地所有者情報を、データベース１７に登録することもできる。また、サーバシステム１側で登録した換地図を取得することもできる。
【００７２】
(1) 地積測量図
ユーザは、地積測量図が格納されたファイルを直接登録したい場合、センターページにおいて、地積測量図ボタン４４（図２２参照）をクリックし、登録ボタン４５をクリックする。すると、図２１に示すような地積測量図登録ボックス７１が表示される。
【００７３】
ユーザは、地積測量図登録ボックス７１において、登録するファイルに係る所在地名、地番、作成者名、作成日、残地番を入力する。また、参照ボタン７２をクリックすると、登録するファイルを指定することができる。そして、ユーザは、サムネイル情報及び実際のファイルの公開条件を指定する。ここで、図２１中、地積測量図情報とはサムネイル情報であり、地積測量図ファイルとは実際のファイルである。なお、実際のファイルのみならず、サムネイル情報の公開条件を指定できることとしたのは、ファイルの内容によっては、サムネイル情報であっても内容がわかってしまうことがあり、実際のファイルのみならずサムネイル情報も非公開としなければならない場合があるからである。
【００７４】
ユーザが、地図情報入力ボタン７３をクリックすると、アップロードステップにおける新規作成ページと同様に、登録するファイルに係る所在地を含む地図が表示されるので、ユーザは、地図上の所在地にポリゴンを作成する。
【００７５】
ユーザがＯＫボタン７４をクリックすると、クライアント装置２は、入力された情報及び指定されたファイルをサーバシステム１に送信し、データベース１７への登録を要求する。サーバシステム１は、上記データベース登録ステップと同様にして、送信されたファイル及びその情報をデータベース１７に登録する。
【００７６】
(2) 公図
公図とは、行政区単位で作成され、法務局に備え付けられている図面であり、謄本地番等が記載されている。ユーザは、公図が格納されたファイルを直接登録したい場合、図２２に示すように、センターページにおいて、公図登録ボタン４６をクリックする。すると、公図登録ボックス７５が表示されるので、ユーザは、登録名称、登録するファイルのファイル名、登録する公図に係る都道府県名及び市郡町村名を入力し、ＯＫボタン７６をクリックする。すると、クライアント装置２は、入力された情報及び指定されたファイルをサーバシステム１に送信し、サーバシステム１は、送信されたファイル及びその情報をデータベース１７に登録する。
【００７７】
登録された公図は、データベース１７に予め格納されている地図情報によって表示される地図（この地図は、街区・住所地図である）に、重ねて表示される。
したがって、ユーザは、土地謄本簿に記載されている謄本地番からの検索が容易になる。
【００７８】
(3) 引照点
引照点とは、土地の測量に伴う基準点である。ユーザは、引照点を登録したい場合、図２３に示すように、センターページにおいて、地図検索によって、引照点を登録したい地点を含む地図を表示させておき、引照点ボタン４７をクリックする。すると、マウスポインタの先にピンが表示されるので、ユーザは、そのピンを地図上の登録したい地点に配置して、登録ボタン４６をクリックする。すると、引照点情報登録ボックス７７が表示される。
【００７９】
この引照点情報登録ボックス７７において、座標値には、ピンが配置された地点の座標値が表示される。なお、この座標値は、サーバシステム１が予め有している座標系による座標値である。ユーザは、任意の座標系による座標値を、任意座標値として入力することができる。また、ユーザは、引照点名、設定年月日、設定者名、構造物名称、所在地名、公開条件について、入力する。そして、ＯＫボタン７８をクリックすると、クライアント装置２は、入力された情報をサーバシステム１に送信し、サーバシステム１は、送信された情報をデータベース１７に登録する。
【００８０】
一方、ユーザがクライアント装置２において地図を表示させると、他のユーザが登録したものも含めて、地図上の引照点の登録地点に、ピンの形状で引照点が表示される。ユーザが、地図上に表示された引照点をクリックすると、そのユーザに対してその引照点情報が公開可能であれば、引照点情報登録ボックス７７と同様の引照点情報参照ボックス（図示せず）が表示され、クリックされた引照点の座標値、引照点名、設定者名等が表示される。
【００８１】
(4) 土地所有者情報
ユーザは、土地の所有者についての情報を登録したい場合、センターページにおいて、地図検索によって、土地所有者情報を登録したい土地を含む地図を表示させておき、土地所有者情報ボタン４８をクリックする。すると、ユーザは、マウス操作により、地図上に土地所有者情報の存在を示すポリゴンを作成することができる。そして、ユーザが登録ボタン４５をクリックすると、図２４に示すように、土地所有者情報登録ボックス８１が表示される。
【００８２】
ユーザは、土地所有者情報登録ボックス８１において、土地所有者の氏名、土地所有者の住所、地番、土地所有者の電話番号、登記簿番号を入力する。また、参照ボタン８３をクリックすると、登録する登記簿ファイルを指定することができる。また、ユーザは、土地所有者情報及び登記簿ファイルの公開条件を指定する。そして、ＯＫボタン８２をクリックすると、クライアント装置２は、入力された情報及び指定された登記簿ファイルをサーバシステム１に送信し、データベース１７への登録を要求する。サーバシステム１は、送信された情報及び登記簿ファイルをデータベース１７に登録する。
【００８３】
一方、ユーザがクライアント装置２において地図を表示させると、他のユーザが登録したものも含めて、土地所有者情報が登録された地図上の土地には、土地所有者情報の存在を示すポリゴンが表示される。ユーザが、そのポリゴンをクリックすると、そのユーザに対してその土地所有者情報が公開可能であれば、土地所有者情報登録ボックス８１と同様の土地所有者情報参照ボックス（図示せず）が表示され、クリックされた土地の所有者の氏名、住所等が表示される。
【００８４】
(5) 換地図
換地図は、サーバシステム１側で予め取得し、データベース１７に登録しておく。ユーザは、換地図を取得したい場合、図２５に示すように、センターページにおいて、取得したい換地図に係る所在地を含む地図を表示させ、換地図ボタン４９をクリックする。すると、地図上に換地図のポリゴンが表示される。ユーザがこのポリゴンをクリックすると、換地図取得ボックス７９が表示される。ユーザが、「はい」ボタン８０をクリックすると、換地図がクライアント装置２にダウンロードされる。
４．本実施形態の効果
本実施形態では、個人フォルダ１３に一旦格納された資料ファイルを、同じサーバシステム１内のデータベース１７に登録するので、登録の際には、インターネットを介したファイルの転送は不要であり、ユーザの回線負荷を軽減し、回線切断等のトラブルを回避することができる。また、登録するファイルを複数選択すれば、複数のファイルの登録を一度に行うこともできる。
【００８５】
また、ユーザが、登録するファイルを選択して登録ボタン２８をクリックし、公開条件を入力するだけで、サーバシステム１が、自動的に資料ファイルをデータベース１７に登録するので、ユーザは、例えば、地図をクライアント装置２に表示させておいて、その地図上の所在地と登録ファイルとを結びつけてデータベース１７に登録する等の煩雑な手順を経ることなく、また、インターネットを介した送受信を頻繁に行う必要なく、容易に登録を行うことができる。
【００８６】
また、個人フォルダ１３は排他的に使用できるので、ユーザはバックアップ用に個人フォルダ１３を使用することができる。そして、バックアップ用に取っておいた資料ファイルの中から複数を選んで、一度にデータベースへ登録するといった使い方ができる。
【００８７】
また、ファイルやサムネイル情報の公開条件を指定できるので、ユーザは、不特定の者には公開したくないようなファイルの登録も安心して行うことができ、ファイルの登録を促すことができる。そして、非公開とされたファイルの場合にも、サムネイル情報が公開されていればその概略を知ることができるので、ユーザは他のユーザがどのような資料を持っているかを知ることができ、必要に応じて提供を依頼することができる。さらに、ユーザは、画面上で、ファイルを登録したユーザに連絡を取り得るような情報を見ることができるので、資料の提供依頼を容易に行うことができる。
【００８８】
また、データベース１７に登録されたファイルは、ユーザからのダウンロード要求に応じて、そのダウンロード要求をしたユーザが、そのファイルを登録したユーザとは異なっていても、そのダウンロード要求をしたユーザに対して公開可能であれば、ダウンロードされる。すなわち、各ユーザは互いに資料ファイルを利用し合うことができるので、法務局へ出向く等の必要がなくなり、業務に必要な資料を容易に得られることになる。そして、法務局へ提出されない例えば実測測量図等の資料についても、データベース１７に登録し公開することにより、ユーザ間で共有することができる。
【００８９】
また、データベース１７に格納されている地図情報に基づいてクライアント装置２に表示される地図には、登録ファイルの存在を示すポリゴンが、その登録ファイルに係る地図上の所在地に表示されるので、ユーザは、調査しようとする土地やその隣接地に、登録ファイルが存在しているか否かを、容易に視認することができる。そして、登録ファイルの資料種別に応じて異なる種類のポリゴンが表示されるので、ユーザは、どの種類の資料ファイルが登録されているかを容易に知ることができる。また、登録ファイルの所在地の境界に沿ってポリゴンの作成をすれば、境界が定まっているか否かを一目で知ることができる。
【００９０】
また、地図上で検索範囲を指定することにより、その検索範囲に所在地が存在するような登録ファイルを検索できるので、ユーザは、地図上で検索範囲を視認しながら検索を行うことができる。
【００９１】
また、ユーザは、自分で資料ファイルを転送することなく、アライアンス企業のサービスを受けることができるので、回線負荷を軽減し、容易にサービスを受けることができる。そして、サービスを受けた結果のファイルは、再び、個人フォルダ１３に格納されるので、ユーザは、例えば、個人フォルダ１３にアップロードした資料ファイルに対して、データ変換等必要なサービスを受けてから、データベース１７に登録するといった使い方ができる。
【００９２】
また、グループ管理者は、グループフォルダ１４を利用して課金情報を取得することにより、グループに含まれるユーザの課金管理を容易にかつ一元的に行うことができる。
【００９３】
また、地積測量図等の特に利用頻度の高い資料の場合、個人フォルダ１３を経ることなく直接データベース１７に登録することもできる。すなわち、ユーザは、個人フォルダ１３を経由する登録、直接登録、のいずれか便利な方で資料ファイルを登録することができるので、利用頻度の高い資料の登録を促すことができる。また、引照点を直接登録できるので、復元測量や隣接地の測量等に、他のユーザが登録した引照点を利用することができる。
５．他の実施形態
上記実施形態では、ユーザに地図上でポリゴンを作成させたが、ポリゴンを作成するために必要な座標値を、サーバシステム１が、所在地名から座標値への変換サービスを行うアライアンス企業のコンピュータ３に、所在地名を送信することにより取得し、サーバシステム１が自動的にポリゴンを作成することとしてもよい。また、サーバシステム１に、所在地名から座標値に変換する変換テーブルを設けて、自動的にポリゴンを作成することとしてもよい。また、ユーザが座標値を入力することにより、サーバシステム１がポリゴンを自動作成することとしてもよい。また、ポリゴンの作成を、ファイルのアップロード時ではなく、データベース１７への登録時に行うこととしてもよい。
【００９４】
また、引照点や土地所有者情報以外にも、地図上のピンやポリゴンをクリックすることにより、資料ファイルを登録したユーザの情報等が表示されるようにしてもよい。
【００９５】
また、上記実施形態においては、地積測量図、土地所有者情報等の識別情報をポリゴンとしたが、ポリゴンではなくピンとしてもよい。
【００９６】
また、識別情報として、ポリゴンやピン以外のものを用いてもよい。
【００９７】
また、上記実施形態では、ユーザに公開条件を指定させたが、データベース１７に登録されるファイルは、すべて公開可能とし、公開条件の指定を無くしてもよい。
【００９８】
また、サムネイル情報を表示させることなく、検索結果一覧から直接ダウンロードする資料を選択してダウンロードできるように構成してもよい。
【００９９】
また、画面の構成も上記したものに限られず、上記したアップロード用Ｗｅｂページ等を複数のページで構成したり、あるいは、上記のように２つのページから構成されるサービス要求用Ｗｅｂページを単数のページとする等、種々の構成が可能である。
【０１００】
また、ハードウェア構成、処理の流れ等も、上記実施形態に限られるものでないことは勿論である。例えば、処理負担を分散させるため、サーバシステム１を構成するサーバを増やしてもよい。また、土地家屋調査士用のシステム以外にも勿論適用可能である。すなわち、特許請求の範囲を逸脱しない範囲で、種々の構成やアルゴリズムを取り得る。
【０１０１】
【発明の効果】
本発明によれば、各ユーザが排他的に利用可能な個人データ格納部に、一旦、資料ファイルをアップロードした後、各ユーザが共通して利用可能なデータベースに資料ファイルを登録する。そして、データベースに登録されている資料ファイルを検索し、ダウンロードする。
【０１０２】
すなわち、データベースへの登録の際には、インターネットを介したファイルの転送は不要であるので、回線負荷を軽減し、容易に登録を行うことができる。また、アップロードの際に取得しておいた属性情報に基づいて登録するので、インターネットを介した送受信を頻繁に行う必要がなくなり、容易に登録を行うことができる。そして、データベースに登録された資料ファイルを、各ユーザが互いに利用し合うことができるので、業務に必要な資料を容易に得られる。
【０１０３】
また、個人データ格納部は排他的に使用できるので、ユーザは個人データ格納部をバックアップ用に使用することができる。そして、個人データ格納部に格納しておいたバックアップ用資料ファイルを、共有の資料ファイルとするために、後で一度にデータベースへ登録するといった使い方ができる。
【０１０４】
また、資料ファイルの公開条件をユーザから取得しておき、ダウンロードが要求された資料ファイルがダウンロードを要求したユーザに公開可能であるときのみ、その資料ファイルを送信することとすれば、ユーザは、データベースに登録する資料ファイルを非公開としたり、特定の者のみに公開とすることができるので、不特定の者に公開したくないようなファイルの登録も促すことができる。そして、資料ファイルが非公開とされた場合に、その資料ファイルを登録したユーザについての情報を表示可能とすれば、非公開とされた資料ファイルを得たいユーザは、その資料ファイルを登録したユーザへの提供依頼を容易に行うことができる。
【０１０５】
また、データベースに、クライアント装置において地図を表示するための地図情報を格納し、ユーザからの地図検索要求に応じて、登録ファイルに係る地図上の所在地に識別情報が表示されるように、検索された地図情報をクライアント装置に送信することとすれば、ユーザは、調査しようとする土地やその隣接地に、登録ファイルが存在しているか否かを地図上で視認することができる。
【０１０６】
また、資料ファイルについて縮小表示可能なサムネイル情報を作成し、ユーザからの表示要求に応じて、サムネイル情報をクライアント装置に送信することとすれば、ユーザは資料ファイルに格納されている資料の概略を視認することができ、ダウンロードするか否か等の決定に役立てることができる。
【０１０７】
また、ユーザからのサービス要求に応じて、個人データ格納部からサービス提供者のコンピュータに資料ファイルを送信し、サービスを受けた結果の資料ファイルを個人データ格納部に格納することとすれば、ユーザは自分で資料ファイルをサービス提供者のコンピュータに送信する必要がなく、ユーザの回線負荷を軽減し、容易にサービスを受けることができる。
【０１０８】
また、グループ管理者のコンピュータに、グループに属するユーザの課金情報を送信することとすれば、グループ管理者が、グループに含まれるユーザの課金管理を容易にかつ一元的に行うことができる。
【０１０９】
また、地図上で検索範囲を指定することにより、その検索範囲に所在地が存在するような資料ファイルが検索されることとすれば、ユーザは、地図上で検索範囲を視認しながら、資料ファイルの検索を行うことができる。
【０１１０】
また、クライアント装置に表示される地図が、資料ファイルが登録されている区域を識別可能に構成されることとすれば、ユーザは、調査しようとする土地やその隣接地に、登録ファイルが存在しているか否かを地図上で視認することができる。
【図面の簡単な説明】
【図１】本発明の一実施形態であるサーバシステムの概略構成図である。
【図２】アップロードステップのフローチャートである。
【図３】データベース登録ステップのフローチャートである。
【図４】検索・ダウンロードステップのフローチャートである。
【図５】地図検索のフローチャートである。
【図６】アライアンスサービスステップのフローチャートである。
【図７】アライアンスサービスステップのフローチャートである。
【図８】課金ステップのフローチャートである。
【図９】個人フォルダページの図である。
【図１０】新規作成ページの図である。
【図１１】個人フォルダページの図である。
【図１２】データベースへの資料ファイルの登録を説明するための図である。
【図１３】検索ボックスが表示されたセンターページの図である。
【図１４】検索結果一覧が表示されたセンターページの図である。
【図１５】地図が表示されたセンターページの図である。
【図１６】サムネイル情報が表示されたセンターページの図である。
【図１７】アライアンスサービスページの図である。
【図１８】アライアンス企業へのファイルの登録完了メッセージが表示された個人フォルダページの図である。
【図１９】個人フォルダ登録ページの図である。
【図２０】サービス完了メッセージが表示された個人フォルダページの図である。
【図２１】地積測量図登録ボックスが表示されたセンターページの図である。
【図２２】公図登録ボックスが表示されたセンターページの図である。
【図２３】引照点情報登録ボックスが表示されたセンターページの図である。
【図２４】土地所有者情報登録ボックスが表示されたセンターページの図である。
【図２５】換地図取得ボックスが表示されたセンターページの図である。
【符号の説明】
１…サーバシステム
２、２ａ、２ｂ…クライアント装置
３…（サービス提供者の）コンピュータ
４…（グループ管理者の）コンピュータ
１１…個人フォルダサーバ
１２…土地資料センターサーバ
１３…個人フォルダ（個人データ格納部）
１４…グループフォルダ（グループデータ格納部）
１５…個人フォルダ属性テーブル
１７…データベース
【図１】
0003942478.tif 000002
【図２】
0003942478.tif 000003
【図３】
0003942478.tif 000004
【図４】
0003942478.tif 000005
【図５】
0003942478.tif 000006
【図６】
0003942478.tif 000007
【図７】
0003942478.tif 000008
【図８】
0003942478.tif 000009
【図９】
0003942478.tif 000010
【図１０】
0003942478.tif 000011
【図１１】
0003942478.tif 000012
【図１２】
0003942478.tif 000013
【図１３】
0003942478.tif 000014
【図１４】
0003942478.tif 000015
【図１５】
0003942478.tif 000016
【図１６】
0003942478.tif 000017
【図１７】
0003942478.tif 000018
【図１８】
0003942478.tif 000019
【図１９】
0003942478.tif 000020
【図２０】
0003942478.tif 000021
【図２１】
0003942478.tif 000022
【図２２】
0003942478.tif 000023
【図２３】
0003942478.tif 000024
【図２４】
0003942478.tif 000025
【図２５】
0003942478.tif 000026